(57)【特許請求の範囲】
【請求項１】
流体の注入と排出とで上下方向に伸縮する荷重支持部材に支持された被支持体のレベルを調整するための自動レベリング装置であって、
揺動レバーの揺動角度に応じて流体をＰポートとＡポートとの間またはＰポートとＢポートとの間のうちのどちらか一方に流すことをできる切替弁と、
特定の箇所である特定箇所を持ち前記特定箇所を上下方向に移動距離だけ移動して前記揺動レバーを該移動距離に対応する揺動角度だけ揺動させるバルブ位置制御部材と、
前記揺動レバーが所定の前記揺動角度である所定揺動角度を越えて揺動するのを阻止するストッパ部を設けられたガイド部材と、
被支持体と前記特定箇所とを弾性変形できる弾性部材を介して連結する連結部材と、
を備え、
Ｐポートが荷重支持部材に連通し、
Ａポートが系外に連通し、
Ｂポートが流体の圧力源に連通し、
前記特定箇所が上下方向に所定の移動距離である所定移動距離だけ移動するときに前記揺動レバーが前記所定揺動角度だけ揺動し、
被支持体のレベルが上下方向に前記所定移動距離の範囲内の移動距離で移動するときに前記揺動レバーが前記所定揺動角度の範囲内で該移動距離に対応する揺動角度だけ揺動し、
被支持体のレベルが上下方向に前記所定移動距離の範囲を越える移動距離で移動するときに揺動レバーの揺動をストッパ部に阻止され前記弾性部材が弾性変形して前記揺動レバーの揺動角度が前記所定揺動角度を維持する、
ことを特徴とする自動レベリング装置
【請求項２】
前記連結部材が、被支持体に一端を連結し他端を自由にしたロッド部材と前記ロッド部材を支点として前記特定箇所に下方に付勢する付勢力を作用させる前記弾性部材である上部弾性体と前記ロッド部材を支点として前記特定箇所に上方に付勢する付勢力を作用させる前記弾性部材である下部弾性体とを有する、
ことを特徴とする請求項１に記載の自動レベリング装置。
【請求項３】
流体の注入と排出とで上下方向に伸縮する荷重支持部材に支持された被支持体のレベルを調整するための自動レベリング装置であって、
先端部を上下方向に移動する揺動レバーの揺動角度に応じて流体をＰポートとＡポートとの間またはＰポートとＢポートとの間のうちのどちらか一方に流すことをできる切替弁と、
前記揺動レバーの前記先端部に嵌まり合う嵌合部を設けられた部材であるバルブ位置制御部材と、
前記バルブ位置制御部材を上下方向に移動距離だけ移動させるガイド部と所定の移動距離である所定移動距離を越えて上下方向に移動するのを阻止するストッパ部とを設けられたガイド部材と、
被支持体と前記バルブ位置制御部材とを弾性部材を介して連結する連結部材と、
を備え、
Ｐポートが荷重支持部材に連通し、
Ａポートが系外に連通し、
Ｂポートが流体の圧力源に連通し、
前記バルブ位置制御部材が上下方向に前記所定移動距離だけ移動するときに前記揺動レバーが所定の揺動角度である所定揺動角度だけ揺動し、
被支持体のレベルが上下方向に前記所定移動距離の範囲内の移動距離で移動するときに前記揺動レバーが前記所定揺動角度の範囲内で該移動距離に対応する揺動角度だけ揺動し、
被支持体のレベルが上下方向に前記所定移動距離の範囲を越える移動距離で移動するときに前記バルブ位置制御部材の移動を前記ストッパ部に阻止され前記弾性部材が弾性変形して前記揺動レバーの揺動角度が前記所定揺動角度を維持する、
ことを特徴とする自動レベリング装置
【請求項４】
前記連結部材が、被支持体に一端を連結し他端を自由にしたロッド部材と前記ロッド部材を支点として前記バルブ位置制御部材に下方に付勢する付勢力を作用させる前記弾性部材である上部弾性体と前記ロッド部材を支点として前記バルブ位置制御部材に上方に付勢する付勢力を作用させる前記弾性部材である下部弾性体とを有する、
ことを特徴とする請求項３に記載の自動レベリング装置。
【請求項５】
流体の注入と排出とで上下方向に伸縮する荷重支持部材に支持された被支持体のレベルを調整するための自動レベリング装置であって、
先端部を上下方向に移動する揺動レバーの揺動角度に応じて流体をＰポートとＡポートとの間またはＰポートとＢポートとの間のうちのどちらか一方に流すことをできる切替弁と、
上下方向に延びる所定の輪郭を持った辺状の部分を設けられた長尺部材であって前記輪郭の一点を前記揺動レバーの先端部に接触され長手方向を上下方向に沿わせたバルブ位置制御部材と、
被支持体と前記バルブ位置制御部材とを連結する連結部材と、
を備え、
Ｐポートが荷重支持部材に連通し、
Ａポートが系外に連通し、
Ｂポートが流体の圧力源に連通し、
被支持体のレベルが上下方向に所定の移動距離である所定移動距離の範囲内で移動するときに前記バルブ位置制御部材が上下方向に移動し前記揺動レバーの前記輪郭に接触する点が前記輪郭に倣って移動し移動するのに応じて所定の揺動角度である所定揺動角度の範囲内の揺動角度で前記揺動レバーが揺動し
被支持体のレベルが上下方向に前記所定移動距離を越える移動距離で移動するときに前記バルブ位置制御部材が上下方向に移動し前記揺動レバーの前記輪郭に接触する点が前記輪郭に倣って移動し前記揺動レバーの揺動角度が前記所定揺動角度を維持する、
ことを特徴とする自動レベリング装置
【請求項６】
流体の注入と排出とで上下方向に伸縮する荷重支持部材に支持された被支持体のレベルを調整するための自動レベリング装置であって、
先端部を上下方向に移動する揺動レバーの揺動角度に応じて流体をＰポートとＡポートとの間またはＰポートとＢポートとの間のうちのどちらか一方に流すことをできる切替弁と、
上下方向に延びる所定の輪郭を持った辺状の部分を設けられた長尺部材であって前記輪郭の一点を前記揺動レバーの先端部に接触され長手方向を上下方向に沿わせたバルブ位置制御部材と、
被支持体と前記バルブ位置制御部材とを連結する連結部材と、
を備え、
Ｐポートが荷重支持部材に連通し、
Ａポートが系外に連通し、
Ｂポートが流体の圧力源に連通し、
前記輪郭が上下方向に沿って真直ぐに延びる上部直線部と下部直線部と該上部直線部と該下部直線部との間に設けられた凹部とを有し、
定常時に前記揺動レバーの先端部が前記凹部に接する、
ことを特徴とする自動レベリング装置。
【請求項７】
被支持体を支持する免震装置であって、
気体の注入と排出とで上下方向に伸縮し被支持体を支持し３つの群に分割された３個以上の複数の空気ばねと、
３つの前記群ごとに前記群に属する前記空気ばねに互いに連通して吸排気する様に各々に設けられた３個の吸排気配管と、
揺動レバーの揺動角度に応じて流体をＰポートとＡポートとの間またはＰポートとＢポートとの間のうちのどちらか一方に流すことをできる切替弁と特定の箇所である特定箇所を持ち前記特定箇所を上下方向に移動距離だけ移動して前記揺動レバーを該移動距離に対応する揺動角度だけ揺動させるバルブ位置制御部材と前記揺動レバーが所定の前記揺動角度である所定揺動角度を越えて揺動するのを阻止するストッパ部を設けられたガイド部材と被支持体と前記特定箇所とを弾性変形できる弾性部材を介して連結する連結部材とを有し、被支持体のレベルを調整する３個の自動レベリング装置と、
を備え、
３個の自動レベリング装置が３つの前記群に各々に対応し、
３個の前記自動レベリング装置の前記Ｐポートが前記自動レベリング装置に対応する前記群に属する空気ばねに設けられた前記吸排気配管に各々に連通し、
前記自動レベリング装置のＡポートが大気に各々に連通し、
前記自動レベリング装置のＢポートが空気源に各々に連通し、
前記特定箇所が上下方向に所定の移動距離である所定移動距離だけ移動するときに前記揺動レバーが前記所定揺動角度だけ揺動し、
被支持体のレベルが上下方向に前記所定移動距離の範囲内の移動距離で移動するときに前記揺動レバーが前記所定揺動角度の範囲内で該移動距離に対応する揺動角度だけ揺動し、
被支持体のレベルが上下方向に前記所定移動距離の範囲を越える移動距離で移動するときに揺動レバーの揺動をストッパ部に阻止され前記弾性部材が弾性変形して前記揺動レバーの揺動角度が前記所定揺動角度を維持する、
ことを特徴とする免震装置。
【請求項８】
前記連結部材が、被支持体に一端を連結し他端を自由にしたロッド部材と前記ロッド部材を支点として前記特定箇所に下方に付勢する付勢力を作用させる前記弾性部材である上部弾性体と前記ロッド部材を支点として前記特定箇所に上方に付勢する付勢力を作用させる前記弾性部材である下部弾性体とを有する、
ことを特徴とする請求項７に記載の免震装置。
【請求項９】
被支持体を支持する免震装置であって、
気体の注入と排出とで上下方向に伸縮し被支持体を支持し３つの群に分割された３個以上の複数の空気ばねと、
３つの前記群ごとに前記群に属する前記空気ばねに互いに連通して吸排気する様に各々に設けられた３個の吸排気配管と、
先端部を上下方向に移動させる揺動レバーの揺動角度に応じて流体をＰポートとＡポートとの間またはＰポートとＢポートとの間のうちのどちらか一方に流すことをできる切替弁と前記揺動レバーの先端部に嵌まり合う嵌合部をもった部材であるバルブ位置制御部材と前記バルブ位置制御部材を上下方向に移動距離だけ移動させるガイド部と所定の移動距離である所定移動距離を越えて上下方向に移動するのを阻止するストッパ部とを設けられたガイド部材と被支持体と前記バルブ位置制御部材とを上下方向に弾性変形できる弾性部材を介して連結する連結部材と、を有し、被支持体のレベルを調整する３個の自動レベリング装置と、
を備え、
３個の自動レベリング装置が３つの前記群に各々に対応し、
３個の前記自動レベリング装置の前記Ｐポートが前記自動レベリング装置に対応する前記群に属する空気ばねに設けられた前記吸排気配管に各々に連通し、
前記自動レベリング装置のＡポートが大気に各々に連通し、
前記自動レベリング装置のＢポートが空気源に各々に連通し、
前記バルブ位置制御部材が上下方向に前記所定移動距離だけ移動するときに前記揺動レバーが所定の揺動角度である所定揺動角度だけ揺動し、
被支持体のレベルが上下方向に前記所定移動距離の範囲内の移動距離で移動するときに前記揺動レバーが前記所定揺動角度の範囲内で該移動距離に対応する揺動角度だけ揺動し、
被支持体のレベルが上下方向に前記所定移動距離の範囲を越える移動距離で移動するときに前記バルブ位置制御部材の移動を前記ストッパ部に阻止され前記弾性部材が弾性変形して前記揺動レバーの揺動角度が前記所定揺動角度を維持する、
ことを特徴とする免震装置
【請求項１０】
前記連結部材が、被支持体に一端を連結し他端を自由にしたロッド部材と前記ロッド部材を支点として前記バルブ位置制御部材を下方に付勢する前記弾性部材である上部弾性体と前記ロッド部材を支点として前記バルブ位置制御部材を上方に付勢する前記弾性部材である下部弾性体とを有する、
ことを特徴とする請求項９に記載の免震装置。
【請求項１１】
被支持体を支持する免震装置であって、
気体の注入と排出とで上下方向に伸縮し被支持体を支持し３つの群に分割された３個以上の複数の空気ばねと、
３つの前記群ごとに前記群に属する前記空気ばねに互いに連通して吸排気する様に各々に設けられた３個の吸排気配管と、
先端部を上下方向に移動させる揺動レバーの揺動角度に応じて流体をＰポートとＡポートとの間またはＰポートとＢポートとの間のうちのどちらか一方に流すことをできる切替弁と上下方向に延びる所定の輪郭を持った辺状の部分を設けられた長尺部材であって前記輪郭の一点を前記揺動レバーの先端部に接触され長手方向を上下方向に沿わせたバルブ位置制御部材と被支持体と前記バルブ位置制御部材とを連結する連結部材とを有し、被支持体のレベルを調整する３個の自動レベリング装置と、
を備え、
３個の自動レベリング装置が３つの前記群に各々に対応し、
３個の前記自動レベリング装置の前記Ｐポートが前記自動レベリング装置に対応する前記群に属する空気ばねに設けられた前記吸排気配管に各々に連通し、
前記自動レベリング装置のＡポートが大気に各々に連通し、
前記自動レベリング装置のＢポートが空気源に各々に連通し、
被支持体のレベルが上下方向に所定の移動距離である所定移動距離の範囲内で移動するときに前記バルブ位置制御部材が上下方向に移動し前記揺動レバーの前記輪郭に接触する点が前記輪郭に倣って移動し移動するのに応じて所定の揺動角度である所定揺動角度の範囲内の揺動角度で前記揺動レバーが揺動し
被支持体のレベルが上下方向に前記所定移動距離を越える移動距離で移動するときに前記バルブ位置制御部材が上下方向に移動し前記揺動レバーの前記輪郭に接触する点が前記輪郭に倣って移動し前記揺動レバーの揺動角度が前記所定揺動角度を維持する、
ことを特徴とする免震装置
【請求項１２】
被支持体を支持する免震装置であって、
気体の注入と排出とで上下方向に伸縮し被支持体を支持し３つの群に分割された３個以上の複数の空気ばねと、
３つの前記群ごとに前記群に属する前記空気ばねに互いに連通して吸排気する様に各々に設けられた３個の吸排気配管と、
先端部を上下方向に移動させる揺動レバーの揺動角度に応じて流体をＰポートとＡポートとの間またはＰポートとＢポートとの間のうちのどちらか一方に流すことをできる切替弁と上下方向に延びる所定の輪郭を持った辺状の部分を設けられた長尺部材であって前記輪郭の一点を前記揺動レバーの先端部に接触され長手方向を上下方向に沿わせたバルブ位置制御部材と被支持体と前記バルブ位置制御部材とを連結する連結部材とを有し、被支持体のレベルを調整する３個の自動レベリング装置と、
を備え、
３個の自動レベリング装置が３つの前記群に各々に対応し、
３個の前記自動レベリング装置の前記Ｐポートが前記自動レベリング装置に対応する前記群に属する空気ばねに設けられた前記吸排気配管に各々に連通し、
前記自動レベリング装置のＡポートが大気に各々に連通し、
前記自動レベリング装置のＢポートが空気源に各々に連通し、
前記輪郭が上下方向に沿って真直ぐに延びる上部直線部と下部直線部と該上部直線部と該下部直線部との間に設けられた凹部とを有し、
定常時に前記揺動レバーの先端部が前記凹部に接する、
ことを特徴とする免震装置。
【発明の詳細な説明】
【技術分野】
【０００１】
本発明は、荷重支持部材により支持される被支持体の支持レベルを調整する自動レベリング装置とそれを用いて被支持体を支持し免震する空気ばね免震装置とに関する。
【背景技術】
【０００２】
建物、プラント、機械設備等の被支持体を支持し免震する免震装置を用いる。
免震装置は、被支持体を支持する複数の荷重支持部材と自動レベリング装置とを備える。
例えば、免震装置は、被支持体を支持する複数の空気ばねと自動レベリング装置とを備える。
荷重支持部材は、流体の注入と排出とで伸縮する。例えば、流体は空気である。
自動レベリング装置は、複数の荷重支持部材に流体を注入しまたは排出して、被支持体のレベルを調整する装置である。
【０００３】
例えば、複数の空気ばねを３群に分割して、各群ごとに吸排気配管と自動レベリング装置とを設けて、各々の自動レベリング装置が、各々の群に属する空気ばねに設けられた吸排気配管へ供給する流体の量、または各々の群に属する空気ばねに設けられた吸排気配管から排気する排気量を調整して、各群に含まれる空気ばねにより支持される被支持体のレベルを調整する。
【０００４】
地震が発生したときに、  免震装置の自動レベリング装置が頻繁に作動する。地震時には停電することが予測されることから、自動レベリング装置は、無給電でも作動することが望まれる。
また、地震の発生していない通常時には、自動レベリング装置は水平度を高精度にレベリングすることを要求される。
また、地震が発生した際は、自動レベリング装置は免震しつつレベルを維持することを要求される。
【０００５】
【特許文献１】公開実用昭和５０−１１１５９６号
【特許文献２】公開実用昭和５０−１４７０８３号
【特許文献３】公開実用昭和５３−  ９０７５６号
【特許文献４】公開実用昭和５４−１４８７８２号
【特許文献５】公開実用昭和５７−  ８７８４４号
【発明の開示】
【発明が解決しようとする課題】
【０００６】
本発明は以上に述べた問題点に鑑み案出されたもので、簡単な構造で荷重支持部材により支持される被支持体の支持レベルを調整する自動レベリング装置とそれを用いて被支持体を支持し免震する免震装置とを提供しようとする。
【課題を解決するための手段】
【０００７】
上記目的を達成するため、本発明に係る流体の注入と排出とで上下方向に伸縮する荷重支持部材に支持された被支持体のレベルを調整するための自動レベリング装置を、揺動レバーの揺動角度に応じて流体をＰポートとＡポートとの間またはＰポートとＢポートとの間のうちのどちらか一方に流すことをできる切替弁と、特定の箇所である特定箇所を持ち前記特定箇所を上下方向に移動距離だけ移動して前記揺動レバーを該移動距離に対応する揺動角度だけ揺動させるバルブ位置制御部材と、前記揺動レバーが所定の前記揺動角度である所定揺動角度を越えて揺動するのを阻止するストッパ部を設けられたガイド部材と、被支持体と前記特定箇所とを前記所定揺動角度に対応する所定移動距離を越えて弾性変形できる弾性部材を介して連結する連結部材と、を備え、Ｐポートが荷重支持部材に連通し、Ａポートが系外に連通し、Ｂポートが流体の圧力源に連通する、ものとした。
【０００８】
上記本発明の構成により、切替弁が、揺動レバーの揺動角度に応じて流体をＰポートとＡポートとの間またはＰポートとＢポートとの間のうちのどちらか一方に流すことをできる。バルブ位置制御部材が、特定の箇所である特定箇所を持ち、前記特定箇所を上下方向に移動距離だけ移動して前記揺動レバーを該移動距離に対応する揺動角度だけ揺動させる。ガイド部材のストッパ部が、前記揺動レバーが所定の前記揺動角度である所定揺動角度を越えて揺動するのを阻止する。連結部材が、被支持体と前記特定箇所とを前記所定揺動角度に対応する所定移動距離を越えて弾性変形できる弾性部材を介して連結する。Ｐポートが荷重支持部材に連通する。Ａポートが大気に連通する。Ｂポートが空気源に連通する。
その結果、被支持体が上下動すると、前記特定箇所が上下動し、揺動レバーが揺動し、流体が切替弁を経由して荷重支持部材に注入し荷重支持部材から大気へ排出し、被支持体が前記所定移動距離の範囲内で上下動する際は前記所定揺動角度の範囲内で揺動して所定移動距離の範囲内で精度よく被支持体のレベルを調整でき、被支持体が前記所定移動距離を越えて上下動する際は前記揺動レバーの揺動角度を前記所定揺動角度に維持して被支持体のレベルを調整できる。
【０００９】
さらに、本発明の実施形態に係る自動レベリング装置は、前記連結部材が、被支持体に一端を連結し他端を自由にしたロッド部材と前記ロッド部材を支点として前記特定箇所に下方に付勢する付勢力を作用させる上部弾性体と前記ロッド部材を支点として前記特定箇所に上方に付勢する付勢力を作用させる下部弾性体とを有する。
上記本発明の構成により、ロッド部材が被支持体に一端を連結し他端を自由にする。上部弾性体が、前記ロッド部材を支点として前記特定箇所に下方に付勢する付勢力を作用させる。下部弾性体が、前記ロッド部材を支点として前記特定箇所に上方に付勢する付勢力を作用させる。
その結果、上部弾性体の作用する下方へ付勢する付勢力と下部弾性体の作用する上方へ作用する付勢力の合力が前記特定箇所に作用し、その合力により前記揺動レバーが前記揺動角度の範囲内で揺動する。
【００１０】
上記目的を達成するため、本発明に係る流体の注入と排出とで上下方向に伸縮する荷重支持部材に支持された被支持体のレベルを調整するための自動レベリング装置を、先端部を上下方向に移動する揺動レバーの揺動角度に応じて流体をＰポートとＡポートとの間またはＰポートとＢポートとの間のうちのどちらか一方に流すことをできる切替弁と、前記揺動レバーの前記先端部に嵌まり合う嵌合部を設けられた部材であるバルブ位置制御部材と、前記バルブ位置制御部材を上下方向に移動距離だけ移動させるガイド部と所定の移動距離である所定移動距離を越えて上下方向に移動するのを阻止するストッパ部とを設けられたガイド部材と、被支持体と前記バルブ位置制御部材とを前記所定移動距離を越えて上下方向に弾性変形できる弾性部材を介して連結する連結部材と、を備え、Ｐポートが荷重支持部材に連通し、Ａポートが系外に連通し、Ｂポートが流体の圧力源に連通する、ものとした。
【００１１】
上記本発明の構成により、切替弁が、先端部を上下方向に移動する揺動レバーの揺動角度に応じて流体をＰポートとＡポートとの間またはＰポートとＢポートとの間のうちのどちらか一方に流すことをできる。バルブ位置制御部材が、前記揺動レバーの前記先端部に嵌まり合う。ガイド部材が、前記バルブ位置制御部材を上下方向に移動距離だけ移動させるガイド部と所定の移動距離である所定移動距離を越えて上下方向に移動するのを阻止するストッパ部とを設けられる。連結部材が、被支持体と前記バルブ位置制御部材とを前記所定移動距離を越えて上下方向に弾性変形できる弾性部材を介して連結する。Ｐポートが荷重支持部材に連通する。Ａポートが系外に連通する。Ｂポートが流体の圧力源に連通する。
その結果、被支持体が上下動すると、前記バルブ位置制御部材が上下動し、揺動レバーが揺動し、流体が切替弁を経由して荷重支持部材に注入し荷重支持部材から大気へ排出し、被支持体が前記所定移動距離の範囲内で上下動する際は前記所定揺動角度の範囲内で揺動して所定移動距離の範囲内で精度よく被支持体のレベルを調整でき、被支持体が前記所定移動距離を越えて上下動する際は前記揺動レバーの揺動角度を前記所定揺動角度に維持して被支持体のレベルを調整できる。
【００１２】
さらに、本発明の実施形態に係る自動レベリング装置は、前記連結部材が、被支持体に一端を連結し他端を自由にしたロッド部材と前記ロッド部材を支点として前記バルブ位置制御部材に下方に付勢する付勢力を作用させる上部弾性体と前記ロッド部材を支点として前記バルブ位置制御部材に上方に付勢する付勢力を作用させる下部弾性体とを有する。
上記実施形態の構成により、ロッド部材が被支持体に一端を連結し他端を自由にする。上部弾性体が、前記ロッド部材を支点として前記特定箇所に下方に付勢する付勢力を作用させる。下部弾性体が、前記ロッド部材を支点として前記特定箇所に上方に付勢する付勢力を作用させる。
その結果、上部弾性体の作用する下方へ付勢する付勢力と下部弾性体の作用する上方へ作用する付勢力の合力が前記バルブ位置制御部材に作用し、合力により前記揺動レバーが前記揺動角度の範囲内で揺動する。
【００１３】
上記目的を達成するため、本発明に係る流体の注入と排出とで上下方向に伸縮する荷重支持部材に支持された被支持体のレベルを調整するための自動レベリング装置を、先端部を上下方向に移動する揺動レバーの揺動角度に応じて流体をＰポートとＡポートとの間またはＰポートとＢポートとの間のうちのどちらか一方に流すことをできる切替弁と、上下方向に延びる所定の輪郭を持った辺状の部分を設けられた長尺部材であって前記輪郭の一点を前記揺動レバーの先端部に接触され長手方向を上下方向に沿わせたバルブ位置制御部材と、被支持体と前記バルブ位置制御部材とを連結する連結部材と、を備え、Ｐポートが荷重支持部材に連通し、Ａポートが系外に連通し、Ｂポートが流体の圧力源に連通する、ものとした。
【００１４】
上記本発明の構成により、切替弁が、先端部を上下方向に移動する揺動レバーの揺動角度に応じて流体をＰポートとＡポートとの間またはＰポートとＢポートとの間のうちのどちらか一方に流すことをできる。バルブ位置制御部材が、上下方向に延びる所定の輪郭を持った辺状の部分を設けられた長尺部材であって、前記輪郭の一点を前記揺動レバーの先端部に接触され、長手方向を上下方向に沿わせる。連結部材が、被支持体と前記バルブ位置制御部材とを連結する。Ｐポートが荷重支持部材に連通する。Ａポートが系外に連通する。Ｂポートが流体の圧力源に連通する。
その結果、被支持体が上下動すると、前記バルブ位置制御部材が上下動し、揺動レバーが揺動し、流体が切替弁を経由して荷重支持部材に注入し荷重支持部材から大気へ排出し、被支持体が上下動する際に揺動レバーが前記バルブ位置制御部材の輪郭に応じて揺動し、被支持体のレベルを調整できる。
【００１５】
さらに、本発明の実施形態に係る自動レベリング装置は、前前記輪郭が上下方向に沿って真直ぐに延びる上部直線部と下部直線部と該上部直線部と該下部直線部との間に設けられた凹部とを有し、定常時に前記揺動レバーの先端部が前記凹部に接する。
上記本発明の構成により、輪郭が上部直線部と凹部と下部直線部とで構成する。前記揺動レバーの先端部が、定常時に凹部に接する。
その結果、被支持体が上下方向に移動すると、前記揺動レバーの先端部が上部直線部と凹部と下部直線部とを順に接し、前記揺動レバーが揺動し、揺動角度に応じて被支持体のレベルを調整できる。
【００１６】
上記目的を達成するため、本発明に係る被支持体を支持する免震装置を、気体の注入と排出とで上下方向に伸縮し被支持体を支持し３つの群に分割された３個以上の複数の空気ばねと、３つの前記群ごとに前記群に属する前記空気ばねに互いに連通して吸排気する様に各々に設けられた３個の吸排気配管と、揺動レバーの揺動角度に応じて流体をＰポートとＡポートとの間またはＰポートとＢポートとの間のうちのどちらか一方に流すことをできる切替弁と特定の箇所である特定箇所を持ち前記特定箇所を上下方向に移動距離だけ移動して前記揺動レバーを該移動距離に対応する揺動角度だけ揺動させるバルブ位置制御部材と前記揺動レバーが所定の前記揺動角度である所定揺動角度を越えて揺動するのを阻止するストッパ部を設けられたガイド部材と被支持体と前記特定箇所とを前記所定揺動角度に対応する所定移動距離を越えて弾性変形できる弾性部材を介して連結する連結部材とを有し、被支持体のレベルを調整する３個の自動レベリング装置と、を備え、３個の自動レベリング装置が３つの前記群に各々に対応し、３個の前記自動レベリング装置の前記Ｐポートが前記自動レベリング装置に対応する前記群に属する空気ばねに設けられた前記吸排気配管に各々に連通し、前記自動レベリング装置のＡポートが大気に各々に連通し、前記自動レベリング装置のＢポートが空気源に各々に連通する、ものとした。
【００１７】
上記本発明の構成により、３個以上の複数の空気ばねが、気体の注入と排出とで上下方向に伸縮し被支持体を支持し、３つの群に分割される。３個の吸排気配管が、３つの前記群ごとに前記群に属する前記空気ばねに互いに連通して吸排気する様に各々に設けられ。
切替弁が、揺動レバーの揺動角度に応じて流体をＰポートとＡポートとの間またはＰポートとＢポートとの間のうちのどちらか一方に流すことをできる。バルブ位置制御部材が、特定の箇所である特定箇所を持ち、前記特定箇所を上下方向に移動距離だけ移動して前記揺動レバーを該移動距離に対応する揺動角度だけ揺動させる。ガイド部材のストッパ部が、前記揺動レバーが所定の前記揺動角度である所定揺動角度を越えて揺動するのを阻止する。連結部材が、被支持体と前記特定箇所とを前記所定揺動角度に対応する所定移動距離を越えて弾性変形できる弾性部材を介して連結する。３個の自動レベリング装置が３つの前記群に各々に対応する。３個の前記自動レベリング装置の前記Ｐポートが前記自動レベリング装置に対応する前記群に属する空気ばねに設けられた前記吸排気配管に各々に連通する。前記自動レベリング装置のＡポートが大気に各々に連通する。前記自動レベリング装置のＢポートが空気源に各々に連通する。
その結果、被支持体が上下動すると、前記特定箇所が上下動し、揺動レバーが揺動し、流体が切替弁を経由して荷重支持部材に注入し荷重支持部材から大気へ排出し、被支持体が前記所定移動距離の範囲内で上下動する際は前記所定揺動角度の範囲内で揺動して所定移動距離の範囲内で精度よく被支持体の３箇所のレベルを調整でき、被支持体が前記所定移動距離を越えて上下動する際は前記揺動レバーの揺動角度を前記所定揺動角度に維持して被支持体の３箇所のレベルを調整でき、被支持体の水平度を調整できる。
【００１８】
さらに、本発明の実施形態に係る免震装置は、前記連結部材が、被支持体に一端を連結し他端を自由にしたロッド部材と前記ロッド部材を支点として前記特定箇所に下方に付勢する付勢力を作用させる上部弾性体と前記ロッド部材を支点として前記特定箇所に上方に付勢する付勢力を作用させる下部弾性体とを有する。
上記本発明の構成により、ロッド部材が被支持体に一端を連結し他端を自由にする。上部弾性体が、前記ロッド部材を支点として前記特定箇所に下方に付勢する付勢力を作用させる。下部弾性体が、前記ロッド部材を支点として前記特定箇所に上方に付勢する付勢力を作用させる。
その結果、上部弾性体の作用する下方へ付勢する付勢力と下部弾性体の作用する上方へ作用する付勢力の合力が前記特定箇所に作用し、合力により前記揺動レバーが前記揺動角度の範囲内で揺動する。
【００１９】
上記目的を達成するため、本発明に係る被支持体を支持する免震装置を、気体の注入と排出とで上下方向に伸縮し被支持体を支持し３つの群に分割された３個以上の複数の空気ばねと、３つの前記群ごとに前記群に属する前記空気ばねに互いに連通して吸排気する様に各々に設けられた３個の吸排気配管と、先端部を上下方向に移動させる揺動レバーの揺動角度に応じて流体をＰポートとＡポートとの間またはＰポートとＢポートとの間のうちのどちらか一方に流すことをできる切替弁と前記揺動レバーの先端部に嵌まり合う嵌合部をもった部材であるバルブ位置制御部材と前記バルブ位置制御部材を上下方向に移動距離だけ移動させるガイド部と所定の移動距離である所定移動距離を越えて上下方向に移動するのを阻止するストッパ部とを設けられたガイド部材と被支持体と前記バルブ位置制御部材とを前記所定移動距離を越えて上下方向に弾性変形できる弾性部材を介して連結する連結部材と、を有し、被支持体のレベルを調整する３個の自動レベリング装置と、を備え、３個の自動レベリング装置が３つの前記群に各々に対応し、３個の前記自動レベリング装置の前記Ｐポートが前記自動レベリング装置に対応する前記群に属する空気ばねに設けられた前記吸排気配管に各々に連通し、前記自動レベリング装置のＡポートが大気に各々に連通し、前記自動レベリング装置のＢポートが空気源に各々に連通する、ものとした。
【００２０】
上記本発明の構成により、３個以上の複数の空気ばねが、気体の注入と排出とで上下方向に伸縮し被支持体を支持し３つの群に分割される。３個の吸排気配管が、３つの前記群ごとに前記群に属する前記空気ばねに互いに連通して吸排気する様に各々に設けられる。切替弁が、先端部を上下方向に移動する揺動レバーの揺動角度に応じて流体をＰポートとＡポートとの間またはＰポートとＢポートとの間のうちのどちらか一方に流すことをできる。バルブ位置制御部材が、前記揺動レバーの前記先端部に嵌まり合う。ガイド部材が、前記バルブ位置制御部材を上下方向に移動距離だけ移動させるガイド部と所定の移動距離である所定移動距離を越えて上下方向に移動するのを阻止するストッパ部とを設けられる。連結部材が、被支持体と前記バルブ位置制御部材とを前記所定移動距離を越えて上下方向に弾性変形できる弾性部材を介して連結する。３個の自動レベリング装置が３つの前記群に各々に対応する。３個の前記自動レベリング装置の前記Ｐポートが前記自動レベリング装置に対応する前記群に属する空気ばねに設けられた前記吸排気配管に各々に連通する。前記自動レベリング装置のＡポートが大気に各々に連通する。前記自動レベリング装置のＢポートが空気源に各々に連通する。
その結果、被支持体が上下動すると、前記バルブ位置制御部材が上下動し、揺動レバーが揺動し、流体が切替弁を経由して荷重支持部材に注入し荷重支持部材から大気へ排出し、被支持体が前記所定移動距離の範囲内で上下動する際は前記所定揺動角度の範囲内で揺動して所定移動距離の範囲内で精度よく被支持体の３箇所のレベルを調整でき、被支持体が前記所定移動距離を越えて上下動する際は前記揺動レバーの揺動角度を前記所定揺動角度に維持して被支持体の３箇所のレベルを調整でき、被支持体の水平度を調整できる。
【００２１】
さらに、本発明の実施形態に係る免震装置は、被支持体に一端を連結し他端を自由にしたロッド部材と前記ロッド部材を支点として前記バルブ位置制御部材を下方に付勢する上部弾性体と前記ロッド部材を支点として前記バルブ位置制御部材を上方に付勢する下部弾性体とを有する。
上記本発明の構成により、ロッド部材が被支持体に一端を連結し他端を自由にする。上部弾性体が、前記ロッド部材を支点として前記特定箇所に下方に付勢する付勢力を作用させる。下部弾性体が、前記ロッド部材を支点として前記特定箇所に上方に付勢する付勢力を作用させる。
その結果、上部弾性体の作用する下方へ付勢する付勢力と下部弾性体の作用する上方へ作用する付勢力の合力が前記特定箇所に作用し、合力により前記揺動レバーが前記揺動角度の範囲内で揺動する。
【００２２】
上記目的を達成するため、本発明に係る被支持体を支持する免震装置を、気体の注入と排出とで上下方向に伸縮し被支持体を支持し３つの群に分割された３個以上の複数の空気ばねと、３つの前記群ごとに前記群に属する前記空気ばねに互いに連通して吸排気する様に各々に設けられた３個の吸排気配管と、先端部を上下方向に移動させる揺動レバーの揺動角度に応じて流体をＰポートとＡポートとの間またはＰポートとＢポートとの間のうちのどちらか一方に流すことをできる切替弁と上下方向に延びる所定の輪郭を持った辺状の部分を設けられた長尺部材であって前記輪郭の一点を前記揺動レバーの先端部に接触され長手方向を上下方向に沿わせたバルブ位置制御部材と被支持体と前記バルブ位置制御部材とを連結する連結部材とを有し、被支持体のレベルを調整する３個の自動レベリング装置と、を備え、３個の自動レベリング装置が３つの前記群に各々に対応し、３個の前記自動レベリング装置の前記Ｐポートが前記自動レベリング装置に対応する前記群に属する空気ばねに設けられた前記吸排気配管に各々に連通し、前記自動レベリング装置のＡポートが大気に各々に連通し、前記自動レベリング装置のＢポートが空気源に各々に連通する、ものとした。
【００２３】
上記本発明の構成により、３個以上の複数の空気ばねが、気体の注入と排出とで上下方向に伸縮し被支持体を支持し、３つの群に分割される。３個の吸排気配管が、３つの前記群ごとに前記群に属する前記空気ばねに互いに連通して吸排気する様に各々に設けられる。切替弁が、先端部を上下方向に移動する揺動レバーの揺動角度に応じて流体をＰポートとＡポートとの間またはＰポートとＢポートとの間のうちのどちらか一方に流すことをできる。バルブ位置制御部材が、上下方向に延びる所定の輪郭を持った辺状の部分を設けられた長尺部材であって、前記輪郭の一点を前記揺動レバーの先端部に接触され、長手方向を上下方向に沿わせる。連結部材が、被支持体と前記バルブ位置制御部材とを連結する。３個の自動レベリング装置が３つの前記群に各々に対応する。３個の前記自動レベリング装置の前記Ｐポートが前記自動レベリング装置に対応する前記群に属する空気ばねに設けられた前記吸排気配管に各々に連通する。前記自動レベリング装置のＡポートが大気に各々に連通する。前記自動レベリング装置のＢポートが空気源に各々に連通する。
その結果、被支持体が上下動すると、前記バルブ位置制御部材が上下動し、揺動レバーが揺動し、流体が切替弁を経由して荷重支持部材に注入し荷重支持部材から大気へ排出し、被支持体が上下動する際に揺動レバーが前記バルブ位置制御部材の輪郭に応じて揺動し、被支持体の3箇所のレベルを調整でき、被支持体の水平度を調整できる。
【００２４】
さらに、本発明の実施形態に係る免震装置は、前記輪郭が上下方向に沿って真直ぐに延びる上部直線部と下部直線部と該上部直線部と該下部直線部との間に設けられた凹部とを有し、定常時に前記揺動レバーの先端部が前記凹部に接する。
上記本発明の構成により、輪郭が上部直線部と凹部と下部直線部とで構成する。前記揺動レバーの先端部が、定常時に凹部に接する。
その結果、被支持体が上下方向に移動すると、前記揺動レバーの先端部が上部直線部と凹部と下部直線部とを順に接し、前記揺動レバーが揺動し、揺動角度に応じて被支持体のレベルを調整できる。
【発明の効果】
【００２５】
以上説明したように本発明に係る自動レベリング装置と免震装置は、その手順と構成により、以下の効果を有する。
流体の注入と排出とで上下方向に伸縮する荷重支持部材が被支持体を支持し、自動レベリング装置において、切替弁が揺動レバーの揺動角度に応じて系外または流体の圧力源の一方を荷重支持体に連通し、バルブ位置制御部材の前記特定箇所の上下方向の移動距離に対応して前記揺動レバーを前記揺動角度だけ揺動させ、揺動レバーが前記所定揺動角度を越えて揺動するのを阻止し、前記連結部材が弾性部材を介して被支持体と前記バルブ位置制御部材とを連結するので、被支持体が上下動すると、前記特定箇所が上下動し、揺動レバーが揺動し、流体が切替弁を経由して荷重支持部材に注入し荷重支持部材から大気へ排出し、被支持体が前記所定移動距離の範囲内で上下動する際は前記所定揺動角度の範囲内で揺動して所定移動距離の範囲内で精度よく被支持体のレベルを調整でき、被支持体が前記所定移動距離を越えて上下動する際は前記揺動レバーの揺動角度が前記所定揺動角度に維持して被支持体のレベルを調整できる。
また、前記特定箇所を下方へ付勢する前記上部弾性体と前記特定箇所を上方へ付勢する前記下部弾性体とを介して被支持体と前記バルブ位置制御部材とを連結するので、上部弾性体の作用する下方へ付勢する付勢力と下部弾性体の作用する上方へ作用する付勢力の合力が前記特定箇所に作用し、その合力により前記揺動レバーが前記揺動角度の範囲内で揺動する。
流体の注入と排出とで上下方向に伸縮する荷重支持部材が被支持体を支持し、自動レベリング装置において、切替弁が揺動レバーの揺動角度に応じて大気または空気源の一方を荷重支持体に連通し、バルブ位置制御部材が揺動レバーの先端部に嵌まり合って上下方向に移動し、ガイド部材のストッパ部が前記バルブ位置制御部材の所定移動距離を越える動きを阻止し、前記連結部材が弾性部材を介して被支持体と前記バルブ位置制御部材とを連結するので、被支持体が上下動すると、前記バルブ位置制御部材が上下動し、揺動レバーが揺動し、流体が切替弁を経由して荷重支持部材に注入し荷重支持部材から大気へ排出し、被支持体が前記所定移動距離の範囲内で上下動する際は前記所定揺動角度の範囲内で揺動して所定移動距離の範囲内で精度よく被支持体のレベルを調整でき、被支持体が前記所定移動距離を越えて上下動する際は前記揺動レバーの揺動角度を前記所定揺動角度に維持して被支持体のレベルを調整できる。
また、前記バルブ位置制御部材を下方へ付勢する前記上部弾性体と前記バルブ位置制御部材を上方へ付勢する前記下部弾性体とを介して被支持体と前記バルブ位置制御部材とを連結するので、上部弾性体の作用する下方へ付勢する付勢力と下部弾性体の作用する上方へ作用する付勢力の合力が前記バルブ位置制御部材に作用し、合力により前記揺動レバーが前記揺動角度の範囲内で揺動する。
流体の注入と排出とで上下方向に伸縮する荷重支持部材が被支持体を支持し、自動レベリング装置において、切替弁が揺動レバーの揺動角度に応じて大気または空気源の一方を荷重支持体に連通し、長手方向を上下方向の沿わせたバルブ位置制御部材の辺状の部分の所定の輪郭の１箇所を揺動レバーの先端部に接触され、被支持体とバルブ位置制御部材とが連結するので、被支持体が上下動すると、前記バルブ位置制御部材が上下動し、揺動レバーが揺動し、流体が切替弁を経由して荷重支持部材に注入し荷重支持部材から大気へ排出し、被支持体が上下動する際に揺動レバーが前記バルブ位置制御部材の輪郭に応じて揺動し、被支持体のレベルを調整できる。
また、輪郭が上部直線部と凹部と下部直線部とで構成する。前記揺動レバーの先端部が、定常時に凹部に接する様にしたので前記揺動レバーの先端部が、被支持体が上下方向に移動すると上部直線部と凹部と下部直線部とを順に接し、前記揺動レバーが揺動し、揺動角度に応じて被支持体のレベルを調整できる。
前記荷重支持部材として空気ばねを採用し、３個以上の複数の空気ばねを３群に分割し、３個の吸排気配管が各群ごとに群に属する前記空気ばねに互いに連通して吸排気し、３個の自動レベリング装置を３群に各々に対応させて、自動レベリング装置の前記吸排気弁の前記Ｐポートが前記自動レベリング装置に対応する群に属する空気ばねに設けられた前記吸排気配管に各々に連通する様にしたので、移動距離の範囲内で精度よく被支持体の３箇所のレベルを調整でき、移動距離を越えても被支持体の３箇所のレベルを調整でき、被支持体の水平度を調整できる。
従って、簡単な構造で荷重支持部材により支持される被支持体の支持レベルを調整する自動レベリング装置とそれを用いて被支持体を支持し免震する免震装置とを提供できる。
【発明を実施するための最良の形態】
【００２６】
以下、本発明を実施するための最良の形態を、図面を参照して説明する。
【００２７】
最初に、本発明の実施形態に係る免震装置と自動レベリング装置とを、図を基に、説明する
図１は、本発明の実施形態に係る空気ばね免震装置の側面図である。図２は、本発明の実施形態に係る空気ばね免震装置のＡ−Ａ矢視図である。図３は、本発明の実施形態に係る空気ばね免震装置の配管系統図である。
【００２８】
免震装置２０は、被支持体１０を支持する装置である。
免震装置２０は、基礎３０の上に配され、被支持体１０を支持する。
免震装置２０は、複数の荷重支持部材１００と３個の吸排気配管２００と３個の自動レベリング装置３００と水平方向免震機器（図示せす）とで構成される。
【００２９】
荷重支持部材１００は、流体の注入と排出とで上下方向に伸縮し、被支持体を支持するものである。
例えば、荷重支持部材１００は空気ばね、油圧シリンダ、空気シリンダ等である。
以下、荷重支持部材１００は空気ばねであるとして、説明する。
複数の空気ばね１００は、３個以上の複数の空気ばね１００である。
図２は、２８個の空気ばねが被支持体１０を支持しているのを示している。
空気ばね１００は、空気ばね本体１１０と補助タンク１２０とで構成される。
空気ばね本体１１０は、伸縮自在の布材で形成された気密の円筒状の部材であり、たがが上下方向に所定のピッチで並べられて円筒の円周に外側から嵌められている。
補助タンク１２０は、内部が空洞の円筒状の部材である。
空気ばね本体１１０が補助タンク１２０の上部に配される。
空気ばね本体１１０の内部と補助タンク１２０の内部とは連通される。
後述する吸排気配管２００が、自動レベリング装置３００に空気を吸気する。
空気ばね１００が被支持体１０を支持している際に、空気ばね１００に空気を吸気すると、空気ばね本体１１０が上下方向に伸びて、被支持体の支持点のレベルが高くなる。
空気ばね１００から空気を排気すると、空気ばね本体１１０が上下方向に縮んで、被支持体の支持点のレベルが低くなる。
【００３０】
複数の空気ばね１００は、３つの群に分割される。
図２と図３は、２８個の空気ばね１００が、図を見て上部左側の９個の空気ばね１００と下部左側の１２個の空気ばね１００と右側の７個の空気ばね１００に分割されるのを示す。
以下で、説明の便宜上、上部左側の９個の空気ばね１００の群を第一群、下部左側の１２個の空気ばね１００の群を第二群、右側の７個の空気ばね１００の群を第三群と呼称する。
【００３１】
３個の吸排気配管２００は、３つの群ごとに群に属する空気ばね１００に互いに連通して吸排気する様に各々に設けられた配管である。
１個の吸排気配管２００が、第一群に属する空気ばね１００に互いに連通して吸排気する様に設けられる。この吸排気配管２００を第一吸排気配管２００ａと呼称する。第一吸排気配管２００ａは複数の枝分かれした配管を第一群に属する空気ばね１００に各々に連通する。
他の１個の吸排気配管２００が、第二群に属する空気ばね１００に互いに連通して吸排気する様に設けられる。この吸排気配管２００を第二吸排気配管２００ｂと呼称する。第二吸排気配管２００ｂは複数の枝分かれした配管を第二群に属する空気ばね１００に各々に連通する。
他の１個の吸排気配管２００が、第三群に属する空気ばね１００に互いに連通して吸排気する様に設けられる。この吸排気配管２００を第三吸排気配管２００ｃと呼称する。第三吸排気配管２００ｃは複数の枝分かれした配管を第三群に属する空気ばね１００に各々に連通する。
また、３個の吸排気配管２００は圧力検知回路２２０に各々に連通する。圧力検知回路２２０は、３個の吸排気配管２００の圧力を検知する回路である。
【００３２】
水平方向制振機器（図示せす）は、被支持体１０に作用する水平方向の加速度を制振する装置である。
例えば、水平方向制振機器（図示せす）は、上下方向に複数のゴム板が積層されたものである。
【００３３】
３個の自動レベリング装置３００は、被支持体１０のレベルを調整する装置である。
３個の自動レベリング装置が３つの群に各々に対応する。
３個の自動レベリング装置は、第一自動レベリング装置、第二自動レベリング装置が、及び第三自動レベリング装置である。
第一自動レベリング装置が、第一群に対応する。
第二自動レベリング装置が、第二群に対応する。
第三自動レベリング装置が、第三群に対応する。
３個の自動レベリング装置の後述するＰポートが自動レベリング装置に対応する群に属する空気ばねに設けられた吸排気配管に各々に連通する。
自動レベリング装置の後述するＡポートが大気に各々に連通する。
自動レベリング装置の後述するＢポートが空気源２１０に各々に連通する。
空気源は、一定の圧力の空気を供給する機器である。
以下に、自動レベリング装置３００を、詳述する。
【００３４】
最初に、第一の実施形態にかかる自動レベリング装置を、図を基に、説明する。
図４は、本発明の第一の実施形態に係る自動レベリング装置の側面図である。図５は、本発明の第一の実施形態に係る自動レベリング装置の詳細図である。図６は、本発明の第一の実施形態に係る切替弁の詳細図である。図７は、本発明の第一の実施形態に係る切替弁の性能特性図である。図８は、本発明の第一の実施形態に係る自動レベリング装置の概念図である。図９は、本発明の第一の実施形態に係る自動レベリング装置の作動説明図である。
【００３５】
自動レベリング装置３００は、流体の注入と排出とで上下方向に伸縮する荷重支持部材１００に支持された被支持体１０のレベルを調整するための装置である。
自動レベリング装置３００は、切替弁３１０とバルブ位置制御部材３２０とガイド部材３３０と連結部材３４０とで構成される。
【００３６】
切替弁３１０は、揺動レバー３１１の揺動角度に応じて流体をＰポートとＡポートとの間またはＰポートとＢポートとの間のうちのどちらか一方に流すことをできる弁である。
図６は、切替弁３１０の一例を示す。
ＰポートとＡポートとＢポートは、切替弁３１０に設けられた気体の出入りする穴である。空気配管が、ＰポートとＡポートとＢポートに連結される。
Ｐポートが荷重支持部材１００に連通し、Ａポートが系外に連通し、Ｂポートが流体の圧力源２１０に連通する。
例えば、Ａポートが大気に連通する。
先端部を上下方向に移動する揺動レバー３１１の揺動角度に応じて流体をＰポートとＡポートとの間またはＰポートとＢポートとの間のうちのどちらか一方に流すことをできる弁であってもよい。この先端部を揺動レバー先端部３１２と呼称する。
揺動レバー先端部３１２は、揺動レバー３１１の回転自在に固定された回転ローラであってもよい。
切替弁３１０は、揺動レバー３１１の揺動角度に応じた流量の流体をＰポートとＡポートとの間またはＰポートとＢポートとの間のうちのどちらか一方に流すことをできる弁であってもよい。
切替弁３１０は、揺動レバーの揺動に応じて作動するスプール弁であってもよい。
例えば、切替弁３１０は、揺動レバー３１１と揺動レバー先端部３１２と切替弁本体３１３と切替弁スプール３１４とで構成される。
揺動レバー３１１の揺動角度に応じて、切替弁スプール３１４が移動し、ＰポートとＡポートとの連通する開度またはＰポートとＢポートとの連通する開度を変化させる。したがって、圧力源の供給する圧力が一定の場合、開度に応じた流量を流す。
例えば、揺動レバー３１１は、揺動角度ゼロを中心として、一方と他方とへ揺動する。
例えば、揺動角度がゼロであるときに、ＰポートとＡポートとの間またはＰポートとＢポートとの間のどちらにも流体を流さない。
例えば、揺動角度がゼロであるときに、ＰポートとＡポートとの間及びＰポートとＢポートとの間の両方に最小の流量の流体を流す。
【００３７】
図７は、切替弁の流量特性の一例を示す。
揺動角度がゼロのときに、流量はゼロまたは最小の流量である。
揺動レバー３１１がゼロから一方の方へ揺動すると、ＰポートとＡポートとの間に流体を流す、揺動角度ゼロから大きくなるにつれて流量が大きくなり、揺動角度θが一定の揺動角度になったときに、流量がそれ以上に大きくならなくなる。
揺動レバー３１１がゼロから一方の方へ揺動すると、ＰポートとＢポートとの間に流体を流す、揺動角度ゼロから大きくなるにつれて流量が大きくなり、揺動角度θが一定の揺動角度になったときに、流量がそれ以上に大きくならなくなる。
【００３８】
バルブ位置制御部材３２０は、特定の箇所である特定箇所を持ち、特定箇所を上下方向に移動距離Ｘだけ移動して揺動レバー３１１を移動距離Ｘに対応する揺動角度θだけ揺動させる部材である。
図６は、バルブ位置制御部材３２０の一例を示す。
例えば、バルブ位置制御部材３２０は、揺動レバー先端部３１２に嵌まり合う嵌合部Ｒを設けられた部材である。
バルブ位置制御部材３２０は、後述するガイド部材３３０により上下方向に移動自在に案内される。バルブ位置制御部材３２０の嵌合部Ｒの近傍の箇所が特定箇所に該当する。
バルブ位置制御部材３２０は、バルブ位置制御部材本体３２１とバルブ位置制御部材被ガイド部３２２とで構成される。
バルブ位置制御部材本体３２１は、揺動レバー先端部３１２に嵌まり合う嵌合部Ｒを設けられる。
バルブ位置制御部材被ガイド部３２２は、後述するガイド部材３３０のガイド用長穴３３１に上下方向に移動自在に案内される。
バルブ位置制御部材被ガイド部３２２がガイド用長穴３３１の中央に位置するときに、揺動レバー３１１の揺動角度がゼロである。
バルブ位置制御部材被ガイド部３２２は、上方へ所定移動距離だけ移動するとガイド用長穴３３１の上部の端部に当たって停止する。この上方への所定移動距離を上部所定移動距離Ｘ１と呼称する。このガイド用長穴３３１の上部の端部を上部ストッパ部Ｓ１と呼称する。
バルブ位置制御部材被ガイド部３２２は、下方へ所定移動距離だけ移動するとガイド用長穴３３１の下部の端部に当たって停止する。この下方への所定移動距離を下部所定移動距離Ｘ２と呼称する。このガイド用長穴３３１の下部の端部を下部ストッパ部Ｓ２と呼称する。
【００３９】
ガイド部材３３０は、揺動レバーが所定の揺動角度θである所定揺動角度θ１、θ２を越えて揺動するのを阻止するストッパ部を設けられる。
例えば、ガイド部材３３０は、バルブ位置制御部材３２０を上下方向に移動距離だけ移動させるガイド部Ｇと所定の移動距離Ｘである所定移動距離Ｘ１、Ｘ２を越えて上下方向に移動するのを阻止するストッパ部Ｓ１、Ｓ２とを設けられる。
図５は、ガイド部材３３０が上下方向に長手方向を沿わせたガイド用長穴３３１を設けられるのを示す。
ガイド用長穴３３１の左右の辺がガイド部Ｇに当し、ガイド用長穴３３１の上端部が上部ストッパ部Ｓ１に当し、ガイド用長穴３３１の下端部が下部ストッパ部Ｓ２に当する。
【００４０】
以下に、バルブ位置制御部材３２０の上下方向の移動距離Ｘと切替弁３１０の揺動レバー３１１の揺動角度θと切替弁１０のＰポートとＡポートとの間またはＰポートとＢポートとの間に流れる流体の流れ、空気ばねへの流体の吸入または排気の様子を、説明する。
被支持体１０が定常状態にあるとき、バルブ位置制御部材３２０がガイド用長穴３３１の中央部に位置し、揺動レバー３１１の揺動角度は０になる。
【００４１】
定常状態から、被支持体が上方へ移動すると、バルブ位置制御部材３２０がガイド用長穴３３１の中央部から上方へ移動する。
バルブ位置制御部材３２０がガイド用長穴３３１の中央部から上方へ移動すると、揺動レバー先端部３１２が上方へ移動し、揺動レバー３１１が揺動し、切替弁３１０が、ＰポートとＢポートの間を遮断し、ＰポートとＡポートとの間に流体をながす。空気ばねの空気がＰポートからＡポートへ流れ、大気へ排気される。
被支持体がさらに上方へ移動すると、バルブ位置制御部材３２０がガイド用長穴３３１の上部ストッパ部Ｓ１に当たる。バルブ位置制御部材３２０が上部ストッパ部Ｓ１にあたったとき、揺動レバー３１１の移動距離Ｘを上部所定移動距離Ｘ１と呼称する。このときの揺動レバー３１１の揺動角度θを所定揺動角度θ１と呼称する。
【００４２】
定常状態から、被支持体が下方へ移動すると、バルブ位置制御部材３２０がガイド用長穴３３１の中央部から下方へ移動する。
バルブ位置制御部材３２０がガイド用長穴３３１の中央部から下方へ移動すると、揺動レバー先端部３１２が下方へ移動し、揺動レバー３１１が揺動し、切替弁３１０がＰポートとＡポートの間を遮断し、ＰポートとＢポートとの間に流体をながす。圧力源の空気が、ＢポートからＰポートへ流れ、吸排気配管２００を経由して空気ばね１００へ供給される。
被支持体１０がさらに下方へ移動すると、バルブ位置制御部材３２０がガイド用長穴３３１の下部ストッパ部Ｓ２に当たる。
バルブ位置制御部材３２０がガイド用長穴３３１の中央部から下方へ移動し下部ストッパ部Ｓ２に当たったとき、揺動レバー３１１の移動距離Ｘを下部所定移動距離Ｘ２と呼称する。このときの揺動レバー３１１の揺動角度θを所定揺動角度θ２と呼称する
【００４３】
連結部材３４０は、被支持体１０と特定箇所とを所定揺動角度θ１、θ２に対応する移動距離Ｘ１、Ｘ２を越えて弾性変形できる弾性部材を介して連結する部材である。
連結部材が、被支持体に一端を連結し他端を自由にしたロッド部材とロッド部材を支点として特定箇所に下方に付勢する付勢力を作用させる上部弾性体とロッド部材を支点として特定箇所に上方に付勢する付勢力を作用させる下部弾性体とで構成されてもよい。
例えば、付勢力は、つるまきばね等の弾性部材により発生する圧縮力や引っ張り力である。
例えば、連結部材３４０は、被支持体１０とバルブ位置制御部材３２０とを所定移動距離Ｘ１、Ｘ２を越えて上下方向に弾性変形できる弾性部材を介して連結する部材である。
連結部材が、被支持体１０に一端を連結し他端を自由にしたロッド部材３４１とロッド部材３４１を支点としてバルブ位置制御部材３２０に下方に付勢する付勢力を作用させる上部弾性体３４２とロッド部材３４１を支点としてバルブ位置制御部材３２０に上方に付勢する付勢力を作用させる下部弾性体３４３とを有する。
連結部材３４０の構造の一例を以下に、図を基に、詳述する。
図８は、連結部材３４０の構造とストッパ部との関係を模式的に示している。
【００４４】
例えば、連結部材３４０は、ロッド部材３４１と上部弾性体３４２と下部弾性体３４３と上部支点部材３４４と下部支点部材３４５とで構成する。
ロッド部材３４１は、長手方向を上下方向に沿わせた棒状の部材である。ロッド部材３２４１の上端は、被支持体１０に連結する。
上部弾性体３４２は、圧縮スプリングであり、ロッド部材３４１に案内される。
下部弾性体３４３は、圧縮スプリングであり、ロッド部材３４１に案内される。
上部支点部材３４４は、ロッド部材３４１に貫通されロッド部材３４１の上部に固定された円形環状部材である。
下部支点部材３４５は、ロッド部材３４１に貫通されロッド部材３４１の下部に固定された円形環状部材である。
上部弾性体３４２は、予圧縮されて、下端をバルブ位置制御部材３２０に当てて、上端を上部支点部材３４４に当てて、配される。上部弾性体３４２は上部支点部材３４４を支点としてバルブ位置制御部材３２０に下方に付勢する付勢力を作用させる。
下部弾性体３４３は、予圧縮されて、上端をバルブ位置制御部材３２０に当てて、下端を下部部支点部材３４５に当てて、配される。下部弾性体３４３は下部支点部材３４５を支点としてバルブ位置制御部材３２０に上方に付勢する付勢力を作用させる。
定常時に、バルブ位置制御部材３２０がガイド用長穴３３１に案内されて上下移動する範囲の中央部に位置する際に、上部弾性体３４２に作用される付勢力と下部弾性体により作用される付勢力の合力がゼロになるように設定される。
ここで、定常時とは、被支持体１０の重量に大きな変動がなく、地震等による加速度が作用していない時をいう。
【００４５】
以下に、第一の実施形態にかかる自動レベリング装置の作用を、図を基に、説明する。
図９は、第一の実施形態にかかる自動レベリング装置の作用を説明する。
図９の右側の図は、定常時における様子を示している。
バルブ位置制御部材３２０がガイド用長穴３３１に案内されて上下移動する範囲の中央部に位置し、揺動レバー３１１の揺動角度がほぼゼロになっている。被支持体の重量が変動すると被支持体が上下動する。揺動レバー３１１の揺動角度が僅かに変動し、空気ばね１００に吸排気して、被支持体１００のレベルを一定にする。
また３個の自動レベリング装置が各々に作動することにより、被支持体１０の自動レベリング装置の取り付けられた位置でのレベルが一定に保たれて、被支持体１０の水平度が維持される。
【００４６】
図９中の中央の図は、小さな地震が発生し、被支持体のレベルが下がった時の様子を示している。
被支持体１０に小さな加速度が作用して、支持点でのレベルが移動距離Ｙだけ下がる。
ここで移動距離Ｙは所定移動距離Ｘ２より小さい。
連結部材３４０がバルブ位置制御部材３２０を下方におす。
位置制御部材３２０が移動距離Ｘだけ下方に移動する。
揺動レバー３１１が移動距離Ｘに対応した揺動角度θだけ揺動し、切替弁３１０がＰポートとＡポートとの間の流通を遮断し、切替弁の特定によって揺動角度θに対応する流量でＰポートとＢポートとの間に気体を流す。圧縮空気が揺動角度θに対応する流量で吸排気配管２００を介して空気ばねに吸気する。
被支持体１０の支持点でのレベルが上昇し、移動距離Ｙがゼロになると、図９の右側の図の状態になる。
被支持体の支持点でのレベルがさらに下がって、移動距離Ｙが下部移動距離Ｘ２に達すると、揺動レバーの揺動角度θが所定揺動角度θ２に達する。
【００４７】
図９中の左側の図は、被支持体のレベルがさらに下がった時の様子を示している。
被支持体１０の支持点でのレベルが移動距離Ｙだけ下がる。移動距離Ｙは下部所定移動距離Ｘ２を越えている。
位置制御部材３２０が下部所定移動距離Ｘ２だけ下方に移動し、ストッパ部Ｓ２にぶつかり停止する。
揺動レバー３１１が下部所定移動距離Ｘ２に対応した所定揺動角度θ２だけ揺動し、切替弁３１０がＰポートとＡポートとの間の流通を遮断し、切替弁の特性によって揺動角度θに対応する流量でＰポートとＢポートとの間に気体を流す。圧縮空気が揺動角度θに対応する流量で吸排気配管２００を介して空気ばねに吸気する。
空気ばね１００への吸気を続けると、空気ばね１００が伸びて、被支持体の支持点でのレベルが上方へ移動する。
被支持体１０の支持点でのレベルが移動距離Ｙが下部所定移動距離Ｘ２を下回ると、図中の中央の図の状態になる。
【００４８】
次に、本発明の第二の実施形態にかかる自動レベリング装置を、図を基に、説明する。
図１０は、本発明の第二の実施形態に係る自動レベリング装置の側面図である。
【００４９】
自動レベリング装置３００は、切替弁３１０とバルブ位置制御部材３２０とガイド部材３３０と連結部材３４０とで構成される。
【００５０】
切替弁３１０の構造は、第一の実施形態にかかる自動レベリング装置のものとおなじなので、説明を省略する。
【００５１】
バルブ位置制御部材３２０は、特定の箇所である特定箇所を持ち、特定箇所を上下方向に移動距離だけ移動して揺動レバーを移動距離に対応する揺動角度だけ揺動させる部材である。
例えば、バルブ位置制御部材３２０は、真ん中を中心として揺動自在に支持されたシーソー状部材をもつ。
シーソー状部材の一方の端部が揺動レバー先端部３１２に嵌まり合う嵌合部Ｒをもつ。
シーソー状部材の他方の端部が特定箇所の当する。
【００５２】
ガイド部材３３０は、揺動レバーが所定の揺動角度である所定揺動角度を越えて揺動するのを阻止するストッパ部を設けられた部材であり。
ストッパ部は、バルブ位置制御部材３２０のシーソー状部材の他方の端部が所定移動距離Ｘ１、Ｘ２を越えて移動するのを阻止する上部ストッパ部Ｓ１と下部ストッパ部Ｓ２とである。
【００５３】
連結部材３４０は、第一の支持形態にかかる自動レベリング装置のものと同じなので、異なる点を除き、説明を省略する。
連結部材３４０が、シーソー状部材の他方の端部に弾性体による付勢力を作用させる。
連結部材３４０のロッド部材が、シーソー状部材の他方の端部を貫通する。
【００５４】
第二の実施形態にかかる自動レベリング装置の作用は、第一の実施形態にかかる自動レベリング装置の作用と同じなので、説明を省略する。
【００５５】
次に、本発明の第三の実施形態にかかる自動レベリング装置を、図を基に、説明する。
図１１は、本発明の第三の実施形態に係る自動レベリング装置の側面図である。図１３は、本発明の第三の実施形態に係る自動レベリング装置の部分詳細図である。
【００５６】
自動レベリング装置３００は、流体の注入と排出とで上下方向に伸縮する荷重支持部材に支持された被支持体のレベルを調整するための装置である。
自動レベリング装置３００は、切替弁３１０とバルブ位置制御部材３２０と連結部材３４０とで構成される。
【００５７】
切替弁３１０の構造は第一の実施形態にかかる自動レベリング装置のものと同じなので、説明を省略する。
【００５８】
バルブ位置制御部材３２０は、上下方向に延びる所定の輪郭を持った辺状の部分を設けられた長尺部材であって、輪郭の一点を揺動レバーの先端部に接触され長手方向を上下方向に沿わせた部材である。
輪郭が、上下方向に沿って真直ぐに延びる上部直線部Ｚ１と下部直線部Ｚ２と凹部Ｚ３とを有してもよい。
凹部Ｚ３は、上部直線部Ｚ１と下部直線部Ｚ２との間に設けられた部分である。
【００５９】
定常時に、揺動レバーの先端部が凹部Ｚ３の１箇所に接してもよい。
凹部Ｚ３の長さが、上部移動距離Ｘ１と下部移動距離Ｘ２の和に略一致する。
図１３は、２つの形式の凹部Ｚ３を示している。
図１３のＡは、第一の形式の凹部Ｚ３を示す。
第一の形式の凹部Ｚ３は、中央に設けられた小さな円弧と底部の円弧の上方の端部から円弧の接線に沿って上方に延びて傾いた直線と底部の円弧の下方の端部から円弧の接線に沿って下方に延びて傾いた直線とで形成される。
中央に設けられた小さな円弧は、先端部のローラの半径より大きな曲率半径をもつ。
定常時に、揺動レバーの先端部が凹部Ｚ３の円弧に接する。
図１３のＢは、第二の形式の凹部Ｚ３を示す。
第二の形式の凹部Ｚ３は、一定の円弧で形成される。
一定の円弧は、揺動レバーの揺動中心から先端部までの距離に略等しい曲率半径をもつ。
定常時に、動レバーの先端部が凹部Ｚ３の円弧の中央に接する。
【００６０】
連結部材は、被支持体とバルブ位置制御部材とを連結する部材である。
例えば、連結部材３４０は、バルブ位置制御部材３２０の上端に連結されたフランジ状部材である。
【００６１】
次に、本発明の第三の実施形態にかかる自動レベリング装置の作用を、図を基に、説明する。
図１２は、本発明の第三の実施形態に係る自動レベリング装置の作動説明図である。
【００６２】
図１２中の右側の図は、定常時における様子を示している。
切替弁３１０の揺動レバー先端部３１２がバルブ位置制御部材３２０のプロフィールの凹部の底に接する。
揺動レバー３１１の揺動角度がほぼゼロになっている。被支持体の重量が変動すると被支持体が上下動する。揺動レバー３１１の揺動角度が僅かに変動し、空気ばね１００に吸排気して、被支持体１００のレベルを一定にする。
また３個の自動レベリング装置が各々に作動することにより、被支持体１０の自動レベリング装置の取り付けられた位置でのレベルが一定に保たれて、被支持体１０の水平度が維持される。
【００６３】
図１２中の左側の図は、被支持体のレベルがより下がった時の様子を示している。
被支持体１０の支持点でのレベルが移動距離Ｙだけ下がる。移動距離Ｙは下部所定移動距離Ｘ２を越えている。
バルブ位置制御部材３２０が下部所定移動距離Ｘ２を越えて移動し、揺動レバーの揺動角度が所定揺動角度θ２になる。
切替弁３１０がＰポートとＡポートとの間の流通を遮断し、切替弁の特性によって所定揺動角度θに対応する流量でＰポートとＢポートとの間に気体を流す。圧縮空気が揺動角度θに対応する流量で吸排気配管２００を介して空気ばね１００に吸気する。
空気ばね１００への吸気を続けると、空気ばね１００が伸びて、被支持体の支持点でのレベルが上方へ移動する。
被支持体１０の支持点でのレベルが移動距離Ｙが下部所定移動距離Ｘ２を下回ると、移動距離に対応した揺動角度θで揺動し、図１２中の右側の図の状態に戻る。
【００６４】
上述のとおり、本発明の実施実施形態に係る自動レベリング装置を用いれば、以下の効果を有する。
流体の注入と排出とで上下方向に伸縮する空気ばね１００が被支持体を支持し、自動レベリング装置３００において、切替弁３１０が揺動レバー３１１の揺動角度θに応じて系外または流体の圧力源の一方を空気ばね１００に連通し、バルブ位置制御部材３２０の特定箇所の上下方向の移動距離に対応して揺動レバー３１１を揺動角度θだけ揺動させ、揺動レバー３１１が所定揺動角度θ１、θ２を越えて揺動するのを阻止し、連結部材３４０が弾性体３４２、３４３を介して被支持体１０とバルブ位置制御部材３２０とを連結するので、被支持体１０が上下動すると、特定箇所が上下動し、揺動レバー３１１が揺動し、流体が切替弁３１０を経由して空気ばね１００に注入しまたは空気ばね１００から大気へ排出し、被支持体１０が所定移動距離Ｘ１、Ｘ２の範囲内で上下動する際は所定揺動角度の範囲内で揺動して精度よく被支持体１０のレベルを調整でき、被支持体１０が所定移動距離Ｘ１、Ｘ２を越えて上下動する際は揺動レバー３１１の揺動角度θが所定揺動角度θ１、θ２を維持し、被支持体１０のレベルを調整できる。
また、特定箇所を下方へ付勢する上部弾性体４３２を介して被支持体１０とバルブ位置制御部材３２０とを連結し、特定箇所を上方へ付勢する下部弾性体３４３を介して被支持体１０とバルブ位置制御部材３２０とを連結するので、上部弾性体３４２の作用する下方へ付勢する付勢力と下部弾性体３４３の作用する上方へ作用する付勢力の合力が特定箇所に作用し、その合力により揺動レバー３１１が所定揺動角度θ１、θ２の範囲内で揺動する。
流体の注入と排出とで上下方向に伸縮する空気ばね１００が被支持体１０を支持し、自動レベリング装置３００において、切替弁３１０が揺動レバー３１１の揺動角度θに応じて大気または空気源の一方を空気ばね１００に連通し、バルブ位置制御部材３２０が揺動レバー先端部３１２に嵌まり合って上下方向に移動し、ガイド部材３３０のストッパ部Ｓ１、Ｓ２がバルブ位置制御部材３２０の所定移動距離Ｘ１、ｘ２を越える動きを阻止し、
連結部材３４０が弾性体３４２、３４３を介して被支持体１０とバルブ位置制御部材３２０とを連結するので、被支持体１０が上下動すると、バルブ位置制御部材３２０が上下動し、揺動レバー３１１が揺動し、流体が切替弁３１０を経由して空気ばね１００に注入しまたは空気ばね１００から大気へ排出し、被支持体１０が所定移動距離Ｘ１、Ｘ２の範囲内で上下動する際は所定揺動角度θ１、θ２の範囲内で揺動して精度よく被支持体１０のレベルを調整でき、被支持体１０が所定移動距離Ｘ１、Ｘ２を越えて上下動する際は揺動レバーの揺動角度θが所定揺動角度θ１、θ２を維持して被支持体１０のレベルを調整できる。
また、バルブ位置制御部材３２０を下方へ付勢する上部弾性体３４２を介して被支持体１０とバルブ位置制御部材３２０とを連結し、バルブ位置制御部材３２０を上方へ付勢する下部弾性体３４３を介して被支持体１０とバルブ位置制御部材３２０とを連結するので、上部弾性体３４２の作用する下方へ付勢する付勢力と下部弾性体３４３の作用する上方へ作用する付勢力の合力がバルブ位置制御部材３２０に作用し、合力により揺動レバー３１１が所定揺動角度θ１、θ２の範囲内で揺動する。
流体の注入と排出とで上下方向に伸縮する空気ばね１００が被支持体１０を支持し、自動レベリング装置３００において、切替弁３１０が揺動レバー３１１の揺動角度θに応じて大気または空気源の一方を空気ばね１００に連通し、長手方向を上下方向の沿わせたバルブ位置制御部材３２０の辺状の部分の所定の輪郭の１箇所を揺動レバー先端部３１２に接触され、被支持体１０とバルブ位置制御部３２０材とが連結されるので、被支持体１０が上下動すると、バルブ位置制御部材３２０が上下動し、揺動レバー３１１が揺動し、流体が切替弁３１０を経由して空気ばね１００に注入しまたは空気ばね１００から大気へ排出し、被支持体１０が上下動する際に揺動レバー３１１がバルブ位置制御部材の輪郭に応じて揺動し、被支持体のレベルを調整できる。
また、輪郭が上部直線部Ｚ１と凹部Ｚ３と下部直線部Ｚ２とで構成し、定常時に揺動レバー３１１の先端部が凹部Ｚ２に接する様にしたので被支持体が上下方向に移動すると、揺動レバー先端部３１２が上部直線部Ｚ１と凹部Ｚ３と下部直線部Ｚ２とを順に接し、揺動レバー３１１が所定揺動角度θ１，θ２の範囲内で揺動し、揺動角度θに応じて被支持体１０のレベルを調整できる。
また、被支持体１０が所定移動距離Ｘ１、Ｘ２を越えない範囲で上下方向に移動するときは、切替弁の調整範囲のほぼ全てを使用して流量を精度良く調整することをできる。被支持体１０が所定移動距離Ｘ１、Ｘ２を越えて上下方向に移動するときは、切替弁の性能上の最大流量で流体を空気ばねに供給することができ、この様にすることで被支持体のレベルおよび水平度を、所定移動距離Ｘ１、Ｘ２を越えない範囲で精度良く高い応答で制御でき、所定移動距離Ｘ１、Ｘ２を越えた範囲でも高い応答で制御できる。
【００６５】
また、本発明の実施実施形態に係る免震装置を用いれば、以下の効果を有する。
複数の空気ばねを採用し、３個以上の複数の空気ばねを３群に分割し、３個の吸排気配管２００が各群ごとに群に属する空気ばねに互いに連通して吸排気し、３個の自動レベリング装置３００を３群に各々に対応させて、自動レベリング装置３００の切替弁３１０のＰポートが自動レベリング装置に対応する群に属する空気ばねに設けられた吸排気配管に各々に連通する様にしたので、所定移動距離Ｘ１、Ｘ２の範囲内で精度よく被支持体の３箇所のレベルを調整でき、所定移動距離Ｘ１、Ｘ２を越えても被支持体１０の３箇所のレベルを調整でき、被支持体１０の水平度を調整できる。
所定移動距離Ｘ１、Ｘ２の範囲内では、揺動レバーが所定揺動角度θ１、θ２の範囲で揺動するので、所定揺動角度θ１、θ２を切替弁の特性のうち感度の高い範囲に設定することができ、このようにすることで被支持体のレベルおよび水平度を精度良く、制御できる。
また、ストッパ部の位置を調整することで、揺動レバーの所定揺動角度θ１、θ２を選択でき、免震装置の免震性能を調整できる。
また、被支持体１０が所定移動距離Ｘ１、Ｘ２を越えて上下方向に移動するときは、切替弁の性能上の最大流量で流体を空気ばねに供給することができ、この様にすることで被支持体のレベルおよび水平度を高い応答で制御できる。
【００６６】
本発明は以上に述べた実施形態に限られるものではなく、発明の要旨を逸脱しない範囲で各種の変更が可能である。
第一、第二の実施形態にかかる自動レベリング装置の説明において、ストッパ部の位置が固定であることを前提に説明したが、これに限定されず、ストッパ部の位置を調整可能にしてもよい。
第二の実施形態にかかる自動レベリング装置の説明において、バルブ位置制御部材のシーソー状部材の揺動中心から揺動レバー先端部までの距離と揺動中心から特定箇所までの距離が一定であることを前提に説明したが、これに限定されず。これらの比を調整可能であってもよい。例えば、揺動中心と特定箇所との距離を連続的に変化でき、または段階的に変化できてもよい。
【図面の簡単な説明】
【００６７】
【図１】本発明の実施形態に係る空気ばね免震装置の側面図である。
【図２】本発明の実施形態に係る空気ばね免震装置のＡ−Ａ矢視図である。
【図３】本発明の実施形態に係る空気ばね免震装置の配管系統図である。
【図４】本発明の第一の実施形態に係る自動レベリング装置の側面図である。
【図５】本発明の第一の実施形態に係る自動レベリング装置の詳細図である。
【図６】本発明の第一の実施形態に係る切替弁の詳細図である。
【図７】本発明の第一の実施形態に係る切替弁の性能特性図である。
【図８】本発明の第一の実施形態に係る自動レベリング装置の概念図である。
【図９】本発明の第一の実施形態に係る自動レベリング装置の作動説明図である。
【図１０】本発明の第二の実施形態に係る自動レベリング装置の側面図である。
【図１１】本発明の第三の実施形態に係る自動レベリング装置の側面図である。
【図１２】本発明の第三の実施形態に係る自動レベリング装置の作動説明図である。
【図１３】本発明の第三の実施形態に係る自動レベリング装置の部分詳細図である。
【符号の説明】
【００６８】
Ｇ  ガイド部
Ｓ１  上部ストッパ部（ストッパ部）
Ｓ２  下部ストッパ部（ストッパ部）
Ｒ  嵌合部
θ  揺動角度
θ１  所定揺動角度
θ２  所定揺動角度
Ｙ  移動距離
Ｘ１  上部所定移動距離（所定移動距離）
Ｘ２  下部所定移動距離（所定移動距離）
Ｚ１  上部直線部
Ｚ２  下部直線部
Ｚ３  凹部
１０  被支持体
２０  免震装置
３０  基礎
１００  荷重支持部材（空気ばね）
１１０  空気ばね本体
１２０  補助タンク
２００  吸排気配管
２００ａ  第一吸排気配管
２００ｂ  第二吸排気配管
２００ｃ  第三吸排気配管
２１０  圧力源
２２０  圧力検知回路
３００  自動レベリング装置
３１０  切替弁
３１１  揺動レバー
３１２  揺動レバー先端部
３１３  切替弁本体
３１４  切替弁スプール
３２０  バルブ位置制御部材
３２１  バルブ位置制御部材本体
３２２  バルブ位置制御部材被ガイド部
３３０  ガイド部材
３３１  ガイド用長穴
３４０  連結部材
３４１  ロッド部材
３４２  上部弾性体
３４３  下部弾性体
３４４  上部支点部材
３４５  下部支点部材
【図１】
0005379967.tif 000002
【図２】
0005379967.tif 000003
【図３】
0005379967.tif 000004
【図４】
0005379967.tif 000005
【図５】
0005379967.tif 000006
【図６】
0005379967.tif 000007
【図７】
0005379967.tif 000008
【図８】
0005379967.tif 000009
【図９】
0005379967.tif 000010
【図１０】
0005379967.tif 000011
【図１１】
0005379967.tif 000012
【図１２】
0005379967.tif 000013
【図１３】
0005379967.tif 000014